【手続補正書】
【提出日】平成16年1月21日(2004.1.21)
【手続補正１】
【補正対象書類名】明細書
【補正対象項目名】特許請求の範囲
【補正方法】変更
【補正の内容】
【特許請求の範囲】
【請求項１】
通信ネットワ−ク上の発呼者が発呼した応答待ち呼出の存在を被呼者に通知する方法であって、
呼出の発呼があった場合に、被呼者に無線呼出サービスを提供する無線呼出サプライヤに、被呼者に無線呼出を送るように通知するメッセージを自動的に送信する段階と、
メッセージを受け取った時に、被呼者の携帯無線呼出し器に、ネットワ−ク上に被呼者宛の応答待ちの呼出が存在することを知らせる無線呼出を送信する段階とを含む方法。
【請求項２】
請求項１に記載の方法において、無線呼出サプライヤ宛のメッセージが、インターネットまたはインターネットに類似するパケット交換ネットワ−クを通して送信される方法。
【請求項３】
請求項２に記載の方法において、呼出がインターネットまたはインターネットに類似するパケット交換ネットワ−クを通して送信される方法。
【請求項４】
請求項３に記載の方法において、呼出が音声呼出である方法。
【請求項５】
請求項３に記載の方法において、無線呼出サプライヤ宛のメッセージおよび被呼者宛の無線呼出が、ネットワ−ク上の被呼者宛の応答待ち呼出のタイプを示す方法。
【請求項６】
請求項５に記載の方法において、無線呼出サプライヤ宛のメッセージおよび被呼者宛の無線呼出が、さらに呼出の応答に使用されるプロトコルを示す方法。
【請求項７】
請求項５に記載の方法において、呼出のタイプが音声呼出、混合メディア呼出、マルチメディア呼出またはデータ呼出である方法。
【請求項８】
請求項２に記載の方法において、無線呼出サプライヤ宛のメッセージが、被呼者の携帯無線呼出し器および作動周波数を識別するための情報を含む方法。
【請求項９】
請求項８に記載の方法において、無線呼出サプライヤ宛のメッセージが、さらにインターネット電話アクセス・プロバイダおよび会計／課金情報を識別するための情報を含む方法。
【請求項１０】
被呼者に、インターネットまたはインターネットに類似するパケット交換ネットワ−ク上に発呼者からの応答待ちの呼出が存在することを知らせる方法であって、
呼出の発呼があった場合に、被呼者に無線呼出・サービスを提供する無線呼出・サプライヤに、被呼者に無線呼出を送るように通知するメッセージを自動的に送信する段階と、
メッセージを受け取った時に、被呼者にインターネットまたはインターネットに類似するパケット交換ネットワ−ク上に呼出が存在することを知らせる無線呼出を送信する段階とを含む方法。
【請求項１１】
請求項１０に記載の方法において、無線呼出サプライヤ宛のメッセージが、インターネットまたはインターネットに類似するパケット交換ネットワ−クを通して送信される方法。
【請求項１２】
請求項１１に記載の方法において、呼出が音声呼出である方法。
【請求項１３】
請求項１１に記載の方法において、無線呼出サプライヤ宛のメッセージおよび被呼者宛の無線呼出が、応答待ち呼出のタイプを示す方法。
【請求項１４】
請求項１３に記載の方法において、無線呼出サプライヤ宛のメッセージおよび被呼者宛の無線呼出が、さらに呼出の応答に使用されるプロトコルを示す方法。
【請求項１５】
請求項１３に記載の方法において、呼出のタイプが音声呼出、混合メディア呼出、マルチメディア呼出またはデータ呼出で方法。
【請求項１６】
請求項１１に記載の方法において、無線呼出サプライヤ宛のメッセージが、被呼者の携帯無線呼出し器および作動周波数を識別するための情報を含む方法。
【請求項１７】
請求項１６に記載の方法において、無線呼出サプライヤ宛のメッセージが、さらにインターネット電話アクセス・プロバイダおよび会計／課金情報を識別するための情報を含む方法。
【請求項１８】
インターネットまたはインターネットに類似するパケット交換ネットワ−クを通して、被呼者に対して発呼者が行った呼出を終了するための方法であって、
発呼者の端末から呼出があった場合に、被呼者に無線呼出サービスを提供する無線呼出サプライヤに対して、無線呼出サプライヤ宛に被呼者に無線呼出を送るように通知するメッセージを自動的に送信する段階と、
メッセージを受け取った時に、被呼者の携帯無線呼出し器に、被呼者宛の応答待ちの呼出が存在することを知らせる無線呼出を送信する段階と、
無線呼出を受信したときに、呼出に応答するために、インターネットまたはインターネットに類似するパケット交換ネットワ−クに、被呼者の端末を接続する段階とを含む方法。
【請求項１９】
請求項１８に記載の方法において、無線呼出サプライヤ宛のメッセージが、インターネットまたはインターネットに類似するパケット交換ネットワ−クを通して送信される方法。
【請求項２０】
請求項１９に記載の方法において、呼出が音声呼出である方法。
【請求項２１】
請求項２０に記載の方法において、発呼者の端末が、インターネットまたはインターネットに類似するパケット交換ネットワ−ク内外で音声信号を送受信するためのソフトウェア・プログラムを実行するコンピュータである方法。
【請求項２２】
請求項２１に記載の方法において、被呼者の端末が、ソフトウェア・プログラムを実行するコンピュータ端末であり、「ホーム」位置から無線呼出を受信したとき、被呼者によってインターネットまたはインターネットに類似するパケット交換ネットワ−クに接続される方法。
【請求項２３】
請求項２１に記載の方法において、被呼者の端末が、ソフトウェア・プログラムを実行するコンピュータ端末であり、無線呼出を受信したとき、遠隔地から被呼者によってインターネットまたはインターネットに類似するパケット交換ネットワ−クに接続され、さらに、遠隔地の被呼者の端末と発呼者の端末とを、インターネットまたはインターネットに類似するパケット交換ネットワ−ク上で接続する段階を含む方法。
【請求項２４】
請求項２１に記載の方法において、被呼者の端末が、インターネットまたはインターネットに類似するパケット交換ネットワ−クに接続しているインターネット・サヴィー・プラットフォームに、交換電話ネットワ−ク上の呼出によって、インターネットまたはインターネットに類似するパケット交換ネットワ−クに接続している電話局の電話機である方法。
【請求項２５】
請求項１９に記載の方法において、無線呼出サプライヤ宛のメッセージおよび被呼者宛の無線呼出が、発呼者が発呼した呼出のタイプを示す方法。
【請求項２６】
請求項２５に記載の方法において、無線呼出サプライヤ宛のメッセージおよび被呼者宛の無線呼出が、さらに呼出に応答するために被呼者の端末によって使用されるプロトコルを示す方法。
【請求項２７】
請求項２５に記載の方法において、呼出のタイプが音声呼出、混合メディア呼出、マルチメディア呼出またはデータ呼出である方法。
【請求項２８】
請求項１９に記載の方法において、無線呼出サプライヤ宛のメッセージが、被呼者の携帯無線呼出し器および作動周波数を識別するための情報を含む方法。
【請求項２９】
請求項２８に記載の方法において、無線呼出サプライヤ宛のメッセージが、さらにインターネット電話アクセス・プロバイダおよび会計／課金情報を識別するための情報を含む方法。
【請求項３０】
インターネットまたはインターネットに類似するパケット交換ネットワ−クを通して、被呼者に対して発呼者が行った呼出を終了するための方法であって、
発呼者の端末から呼出があった場合に、インターネットまたはインターネットに類似するパケット交換ネットワ−ク上で、被呼者の身元をその被呼者に対する無線呼出サプライヤを含む無線呼出情報に関連づけるための情報を供給する関連データベースを持つサービス・プロバイダに接続する段階と、
データベースから被呼者に関する無線呼出情報を検索する段階と、
被呼者の無線呼出サプライヤに、被呼者に無線呼出を送るように通知するための検索無線呼出情報を含むメッセージを自動的に送信する段階と、
メッセージを受信したときに、被呼者の携帯無線呼出し器を通して、応答待ちの呼出があることを被呼者に知らせる無線呼出を送信する段階と、
無線呼出を受信したときに、呼出に応答するために被呼者の端末を、インターネットまたはインターネットに類似するパケット交換ネットワ−クに接続する段階とを含む方法。
【請求項３１】
請求項３０に記載の方法において、無線呼出サプライヤ宛のメッセージが、インターネットまたはインターネットに類似するパケット交換ネットワ−クを通して送信される方法。
【請求項３２】
請求項３１に記載の方法において、呼出が音声呼出である方法。
【請求項３３】
請求項３２に記載の方法において、発呼者の端末が、インターネットまたはインターネットに類似するパケット交換ネットワ−ク内外で音声信号を送受信するためのソフトウェア・プログラムを実行するコンピュータである方法。
【請求項３４】
請求項３３に記載の方法において、被呼者の端末が、ソフトウェア・プログラムを実行するコンピュータ端末であり、「ホーム」位置から無線呼出を受信したとき、被呼者によってインターネットまたはインターネットに類似するパケット交換ネットワ−クに接続される方法。
【請求項３５】
請求項３３に記載の方法において、被呼者の端末が、ソフトウェア・プログラムを実行するコンピュータ端末であり、無線呼出を受信したとき、遠隔地から被呼者によってインターネットまたはインターネットに類似するパケット交換ネットワ−クに接続され、さらに、遠隔地の被呼者の端末と発呼者の端末とを、インターネットまたはインターネットに類似するパケット交換ネットワ−ク上で接続する段階を含む方法。
【請求項３６】
請求項３３に記載の方法において、被呼者の端末が、インターネットまたはインターネットに類似するパケット交換ネットワ−クに接続しているインターネット・サヴィー・プラットフォームに、交換電話ネットワ−ク上の呼出によって、インターネットまたはインターネットに類似するパケット交換ネットワ−クに接続している電話局セットである方法。
【請求項３７】
請求項３１に記載の方法において、無線呼出サプライヤ宛のメッセージおよび被呼者宛の無線呼出が、発呼者が発呼した呼出のタイプを示す方法。
【請求項３８】
請求項３７に記載の方法において、無線呼出・サプライヤ宛のメッセージおよび被呼者宛の無線呼出が、さらに呼出に応答するために被呼者の端末によって使用されるプロトコルを示す方法。
【請求項３９】
請求項３７に記載の方法において、呼出のタイプが音声呼出、混合メディア呼出、マルチメディア呼出またはデータ呼出である方法。
【請求項４０】
請求項３１に記載の方法において、無線呼出・サプライヤ宛のメッセージが、被呼者の携帯無線呼出し器および作動周波数を識別するための情報を含む方法。
【請求項４１】
請求項４０に記載の方法において、無線呼出・サプライヤ宛のメッセージが、さらにインターネット電話アクセス・プロバイダおよび会計／課金情報を識別するための情報を含む方法。
【手続補正２】
【補正対象書類名】明細書
【補正対象項目名】発明の詳細な説明
【補正方法】変更
【補正の内容】
【発明の詳細な説明】
【０００１】
【発明の分野】
本発明は、当事者間で通信を行うための、インターネットおよびインターネットに類似するパケット交換データ・ネットワ−クの使用に関し、特に被呼者へ呼出が応答を待っていることを知らせる方法に関する。
【０００２】
【発明の背景】
現在のソフトウェアは、自分のコンピュータ端末がインターネットおよびインターネットに類似するパケット交換データ・ネットワ−クに接続している二人の当事者の間で音声通信を行う以上のことができる。そのようなソフトウェアの一例としては、ボーカルテク社から販売されているインターネット・フォンがある。このソフトウェアを、両当事者のスピーカおよびマイクロホンを備えたコンピュータ端末にインストールすると、本質的には世界中の任意の場所にいる二人の当事者は、非常に安いコストで相互にインターネットを通して、音声通信を行うことができる。しかし、このような通信を行うためには、両当事者はインターネットに同時に接続しなければならない。それ故、両当事者は二人の間で取り決めたある時間に接続するように予め手配するか、発呼者は通常の電話呼出のような何らかの方法で被呼者にその端末をオンにして、インターネットに接続するように要求しなければならない。上記の手配または予備的な手配は、通常の遠隔通信の場合容易に行うことはできない。それ故、発呼者から被呼者にインターネット上で呼が応答を待っていることを知らせるための装置が必要になる。
【０００３】
【発明の概要】
本発明によれば、サービス・プロバイダにより、インターネットを通して被呼者の無線呼出サプライヤ（ページングサプライヤ,（paging supplier））宛のメッセージが送られると、被呼者は、自動的に同報送信される呼出により、インターネット上に自分に対する無線呼出が応答を待っていることに気がつく。このメッセージは、インターネット上で発呼者の呼出が開始し、インターネット上でサービス・プロバイダに接続が行われると、それに応じて自動的に作成される。サービス・プロバイダは、被呼者の無線呼出プロバイダのインターネット・アドレスおよびそのキャップ・コード(Cap code)および／またはページャＩＤおよびその動作周波数を含む、被呼者の携帯無線呼出し器を識別する情報を決定するために、発呼者により直接提供された被呼者のインターネット・アドレス、または発呼者により提供された被呼者の身元から決定したインターネット・アドレスを使用する。その後、この情報は、インターネットを通して、被呼者の無線呼出サプライヤに送信され、上記無線呼出サプライヤはその無線呼出を識別した被呼者に送る。この無線呼出により自分に対する呼出があることを知った場合、被呼者は、上記ソフトウェアを使用して発呼者と自動通信する接続を行うために、自分の通常の「ホーム」インターネット・アドレスから自分の端末を通してインターネットにダイヤルすることができる。別の方法としては、無線呼出に答えて、被呼者は、任意のローカル・インターネット・アクセス・プロバイダを通して、インターネットにアクセスし、サービス・プロバイダに接続することができる。この場合、発呼者のインターネット・アドレスおよび被呼者のインターネット・アドレスは、両者の間で通信を行うために接続される。
【０００４】
【発明の詳細な記述】
図１について説明すると、インターネットを通して、相手側と音声通信をしようとする発呼者は、自分の端末１０１にボーカルテック社から発売されているインターネット・フォンのような適当なインターネット音声通信ソフトウェアを前もってロードしておかなければならない。さらに、端末１０１は発呼者が被呼者に話しかけるためのマイクロホン１０２、および被呼者からの音声を聞くためのスピーカ１０３を備えている。本発明とは関係がなく、本明細書には詳細に説明しない技術を使って、上記ソフトウェアは、マイクロホン１０２を通して入力された発呼者のアナログ音声信号を、パケット化した形でインターネット１１０を通して被呼者に送信するデジタル・フォーマットに変換する。被呼者の端末１０５は、同時にインターネット１１０に接続していて、同様に、同じソフトウェア、マイクロホン１０６およびスピーカ１０７を持つ。端末１０５内のソフトウェアは、インターネット１１０を通して受信したデジタル・パケット化音声を、スピーカ１０７を通して同報送信するためにアナログ信号に変換し、一方、マイクロホン１０６に入力された被呼者の音声を、インターネット１１０を通して発呼者端末１０１へ返送するために、デジタル・パケット化フォーマットに変換する。類似の方法で、端末１０１は、端末１０５から受信したパケットを、スピーカ１０３を通して発呼者に出力するためにアナログ信号に変換する。
【０００５】
端末１０１は、インターネット・アクセス・プロバイダ（ＩＡＰ）１１１を通して、インターネット１１０に接続する。ＩＡＰ１１１との接続１１２は、発呼者のローカル交換ネットワ−ク（図示せず）を通して行われ、従来のモデムを介したＰＯＴＳライン、交換または専用５６ｋｂｐｓライン、ＩＳＤＮライン、または直接ＬＡＮを通して行うことができる。同様に、端末１０５はＩＡＰ１１３を通してインターネット１１０に接続される。ＩＡＰ１１３への接続１１４は、被呼者の市内交換ネットワーク（図示せず）を通して行われ、同様にモデムを介して従来のＰＯＴＳライン、交換または専用５６ｋｂｐｓライン、ＩＳＤＮライン、または直接ＬＡＮを通して行うことができる。
【０００６】
すでに説明したように、発呼者と被呼者との間で音声通信を行うためには、両者は同時にインターネットに接続しなければならない。本発明によれば、被呼者は、インターネット上に自分宛の呼出があるという通知を自動的に無線呼出により受ける。被呼者が携帯しているか、被呼者の身近にあるポータブル・携帯無線呼出し器１２０へ無線呼出が送られてくると、被呼者は通話を行うために自分の端末をインターネットに接続する。より詳細に説明すると、端末１０１のところにいる発呼者は、自分のインターネット音声通信ソフトウェアの走査ページを開くことによって、被呼者に対する呼出を開始する。その後、メッセージは、端末１０１によりＩＡＰ１１１を通して、関連データベース１１６を持つ中央サービス・プロバイダ１１５に送られる。サービス・プロバイダ１１５は、インターネット１１０を通して発呼者のメッセージを受信し、発呼者から提供された被呼者の身元に応じて、データベース１１６で決定したその被呼者の無線呼出サプライヤに自動的にメッセージを送る。このメッセージは、被呼者の携帯無線呼出し器を識別するのに必要な情報を含む。
【０００７】
データベース１１６は、サービスに加入している人々の携帯無線呼出し器・キャップ・コードまたは携帯無線呼出し器ＩＤの他に関連作動周波数を含み、各当事者の無線呼出サプライヤ、無線呼出サプライヤのインターネットＵＲＬアドレス、および加入者が携帯する携帯無線呼出し器の識別を含むレコードを記憶している。各レコードの情報は、当事者のＵＲＬアドレスまたは当事者の関連名により差し向けることができる。
【０００８】
端末１０１によりサービス・プロバイダ１１５により送られたメッセージは、被呼者のＵＲＬアドレスを含む。この場合、サービス・プロバイダ１１５は、被呼者の無線呼出サプライヤのＵＲＬアドレスを決定するために、データベース１１６にアクセスし、その識別した無線呼出サプライヤに、携帯無線呼出し器・キャップ・コードまたは携帯無線呼出し器ＩＤおよび被呼者の携帯無線呼出し器の作動周波数を含むメッセージを送る。その後、サービス・プロバイダは、インターネットへの被呼者の接続を待たせるために、被呼者のアドレスへ対してＵＲＬを開き、インターネットを通して、無線呼出が送られた発呼者へメッセージを送る。
【０００９】
サービス・プロバイダ１１５により無線呼出サプライヤに送られたメッセージは、インターネット１１０を通して、無線呼出サプライヤが接続しているＩＡＰ１１８へ送られる。無線呼出サプライヤは、無線呼出ノード１１７を含み、この無線呼出ノードは、インターネットからのメッセージを受信し、携帯無線呼出し器ＩＤの携帯無線呼出し器のキャップ・コードを含む無線呼出メッセージを、被呼者の携帯無線呼出し器の作動周波数で送信タワー１１９から同報送信する。キャップ・コードまたは携帯無線呼出し器ＩＤは、携帯無線呼出し器の作動周波数と共に、一意に被呼者の携帯無線呼出し器１２０を識別する。それ故、無線呼出メッセージが送信タワー１１９から同報送信されると、被呼者の携帯無線呼出し器１２０だけが、聴覚および／または感覚信号を発信して応答する。この信号により、携帯無線呼出し器を携帯しているかその近くにいる被呼者は自分宛のインターネット呼出があることを知る。携帯無線呼出し器および無線呼出・システムは当業者にとっては周知である。
【００１０】
無線呼出に答えて、被呼者は、自分の端末１０５をオンにし、呼出に「応答」するためにその走査モードに入ることによって、音声通信ソフトウェアを起動してインターネットに接続する。その後、発呼者および被呼者のＵＲＬのアドレスは一緒に接続され、その後で、各当事者の音声信号のデジタル化された音声パケットを含むデータの移送が、インターネット１１０を通して、発呼者の端末１０１と被呼者の端末１０５との間で行われる。
【００１１】
被呼者のＵＲＬアドレスの別の供給方法としては、サービス・プロバイダ１１５に接続した場合、発呼者が、発呼者のアルファベット名または別の名前を供給するだけでよいという方法がある。その後、サービス・プロバイダ１１５は、データベース１１６から発呼者の名前または別の名前に対応するＵＲＬアドレスを検索することができる。データベースが複数の紛らわしい発呼者を含んでいる場合には、ＨＴＭＬフォーマットのテキスト情報ページが、インターネット１１０を通して、発呼者端末１０１に送り返され、要求された加入者名に一致する被呼者のリストを提供する。その後、発呼者は供給されたリストの中から、選択した名前をクリックすることによって、自分が通信したい特定の相手を選択する。
【００１２】
上記説明においては、無線呼出に応答する場合、被呼者は、自分の正規のまたは通常の「ホーム」インターネット・アドレスを通して、自分の端末およびインターネットにログオンする。本発明のより高度の実施例の場合には、被呼者は、無線呼出に応答して、自分の「ホーム」ＩＡＰを通して、自分の端末を接続するか、または自分の選択に従って、ローカル電話施設を使用して、自分がダイヤルすることができる任意のＩＡＰを通して、ポータブルまたは固定端末を接続する。それ故、図１においては、被呼者は、自分の携帯無線呼出し器１２０により無線呼出を受信した場合には、ポータブル端末１２５、そのマイクロホン１２６およびスピーカ１２７を通して、ＩＡＰ１２８へのローカル電話呼出により、インターネットにアクセスする。ＩＡＰ１２８に接続した場合、被呼者はインターネット１１０を通してサービス・プロバイダ１１５にアドレスし、この接続が被呼者の接続に対するものであるかどうかを参照するために、パスワードを入力する。このパスワードは、発呼者が常に使用する一定のパスワードであってもよいし、または発呼者の携帯無線呼出し器１２０に送られた無線呼出の中に含まれているパスワードであってもよい。被呼者のサービス・プロバイダ１１５に対するインターネット接続が行われると、被呼者および発呼者のアドレスが一緒に結合され、その結果、当事者のコード化された音声信号のパケットが二つの終点の間を流れる。それ故、この実施例の場合には、被呼者は移動できるので、自分の「ホーム
」ＵＲＬアドレスから、または任意の他のローカルＩＡＰを通して、サービス・プロバイダ１１５にアクセスすることによって、インターネット呼出に応答する。
【００１３】
すでに説明したように、被呼者は、音声通信ソフトウェアを実行し、マイクロホンおよびスピーカを持つ端末を使用して、無線呼出に対して「応答」する。また、被呼者は、本明細書に参考文献として組み入れる１９９５年６月２３日付けの同時米国特許出願第０８／４９４，６１０号に開示されているタイプのインターネット・サヴィー（Internet Savvy, IS）プラットフォームにダイヤルするために、標準電話局セットを使用して、無線呼出に応答することにより呼出に答えることができる。上記ＩＳプラットフォームは、インターネットを通して遠隔地と接続することができ、いったん接続した後は、音声信号のコード化／解読およびパケット化／アンパケット化を行うことができる。それ故、図１においては、被呼者は、無線呼出に応答して、ローカル電話施設１３３を通して、また従来の電話局の電話機１３１を使用して、最も近くのＩＳプラットフォーム１３０にダイヤルする。中央データベース１３２は、ＩＳプラットフォーム１３０と関連している。上記類似ＩＳプラットフォームはすべて、あちこちの地理的位置に散在している。被呼者が、ＤＴＭＦ信号法によりパスワードの入力を通して自分自身の識別を行った場合には、ＩＳプラットフォーム１３０は、データベース１３２からサービス・プロバイダ１１５のインターネット・アドレスを検索し、サービス・プロバイダ１１５に、応答中の被呼者の身元および発呼者のパケット化、およびデジタル化した音声信号が送られる特定のＩＳプラットフォームのアドレスを転送する。その後、終端間接続が発呼者と被呼者との間で行われる。この接続は、被呼者の場合はＩＳプラットフォーム１３０を通して行われ、そこからアナログ・フォーマットで電話局の電話機１３１に送られる。
【００１４】
上記実施例の場合には、音声通信は、被呼者に呼出の存在を知らせるための無線呼出が自動的に生成したとき、発呼者と被呼者との間で、インターネットを通して行われる。本発明は、インターネット、または他のインターネットに類似するパケット化データ・ネットワ−ク、または他のデータ・ネットワ−クを通しての、他のタイプの呼出にも適用することができる。例えば、ネットワ−クを通じての呼出は、両方の端末のモデムを使用するオーディオ、ビデオ／オーディオ、またはデータ呼出を含む、混合メディア呼出、マルチメディア呼出であってもよい。上記の拡張したタイプの呼出の場合には、呼出に応答する際に行う必要がある呼出のタイプおよび任意の特別のプロトコルも、被呼者が呼出に応答する前に、無線呼出を通して接続の被呼者側の当事者に送ることができる。それ故、インターネットを通しての上記拡張タイプの呼出の場合で、情報がその接続内の発呼側からサービス・プロバイダ１１５に送られる場合には、サービス・プロバイダは、無線呼出サプライヤへのそのメッセージに、関連インターネット電話アクセス・プロバイダおよび必要な任意のサブアカウント情報を含む、（呼出のタイプを示す）呼出の帯域幅に関するデータおよび関連プロトコルおよび課金情報を含んでいる。それ故、被呼側の当事者宛の無線呼出は、上記帯域幅およびプロトコル情報を含み、その後これら情報は接続を正しく終端するのに使用される。被呼者が、音声呼出を含むすべてのタイプの呼出を受信できる場合には、被呼者宛の無線呼出は被呼者に呼出のタイプを知らせる十分な情報を含む。
【００１５】
本発明を、被呼者にインターネットまたはインターネットに類似するパケット化データ・ネットワ−クを通しての被呼者宛の呼出の存在の通知に関連して今まで説明してきた。本発明は、また被呼者に正規電話ネットワ−クのような交換通信ネットワ−クを含む、任意のネットワ−クを通じての呼出の存在の通知にも適用することができる。本発明の上記の実施例によれば、発呼者から被呼者宛の呼出があった場合には、メッセージが自動的にインターネットを通して、被呼者の無線呼出サプライヤに送られ、被呼者に送られた無線呼出が被呼者に呼出の存在を通知する。上記無線呼出を受信した場合には、被呼者は応答を待っている呼出に接続するためにネットワ−ク内で接続を行う。必要な場合には、すでに説明したように、同時に行われる個別の音声／ビデオ接続を行うために、インターネットを通して、同時接続を行うことができる。
【００１６】
上記実施例は、本発明の原理を説明するための例示的なものである。当業者なら、本発明の精神および範囲から逸脱しないで他の実施例を考案することができる。